(57)【要約】【課題】演奏時における安定保持及び良好な演奏操作を実現する。【解決手段】電子楽器１は、口入力部２、胴体部３及び朝顔部４で構成され、前後方向の略中央部に、左側固定部ＫＯＬと右側固定部ＫＯＲとで成る固定部ＫＯが設けられる。固定部ＫＯの上部には操作子ＰＳＴが設けられ、下部には底蓋兼スタンド６が取り付けられる。音高指定部ＳＨＩは、固定部ＫＯと操作子ＰＳＴと音高スイッチ部とで構成される。電池を収容する電池収容部ＳＹＵは、主として左側、右側固定部下半部ＫＯＬｂ、ＫＯＲｂと、底蓋兼スタンド６とで構成され、底蓋兼スタンド６は、電池収容部ＳＹＵの蓋体として機能するだけでなく、電子楽器１全体を略水平に起立保持するスタンドとしても機能する。【選択図】      図２
2004333916.tif 000002
【特許請求の範囲】
【請求項１】
胴体部と、口入力部と、前記胴体部に設けられ音高を指定するための音高指定部と、電池を収容する電池収容部とを有し、前記口入力部における入力及び前記音高指定部における入力に基づいて楽音を発生させるようにされた電子楽器であって、
前記電池収容部は、前記胴体部をほぼ水平にしたとき前記音高指定部の下方に位置するように配置されたことを特徴とする電子楽器。
【請求項２】
胴体部と、口入力部と、前記胴体部に設けられ音高を指定するための音高指定部と、電池を収容する電池収容部とを有し、前記口入力部における入力及び前記音高指定部における入力に基づいて楽音を発生させるようにされた電子楽器であって、
前記電池収容部は、前記音高指定部の近傍に配置され、当該電子楽器全体の重心が前記電池収容部内に位置するように構成されたことを特徴とする電子楽器。
【請求項３】
前記胴体部をほぼ水平にしたとき、前記電池収容部の下部が、当該電子楽器全体を略水平に起立保持するスタンドとして機能するように構成されたことを特徴とする請求項１記載の電子楽器。
【請求項４】
前記胴体部をほぼ水平にしたとき前記音高指定部の近傍で且つ下方に位置する把持部を有し、前記電池収容部は、前記把持部を兼ねるように構成されたことを特徴とする請求項１〜３のいずれか１項に記載の電子楽器。
【発明の詳細な説明】
【０００１】
【発明の属する技術の分野】
本発明は、口入力部及び音高指定部における入力に基づいて楽音を発生させ、且つ電池を用いる管楽器型等の電子楽器に関する。
【０００２】
【従来の技術】
従来、口入力部で発音を指示すると共に、音高指定部、または音高指定部及び口入力部で音高を指定して、楽音を発生させるようにした管楽器型等の電子楽器が知られている（例えば、下記特許文献１、２）。また、駆動源等として電池を用いる管楽器型等の玩具として構成される電子楽器も知られている。電池を用いる電子楽器では、電池を収容する電池収容部が設けられる。また、管楽器型に形成される電子楽器は、一般に手で保持されて演奏される。
【０００３】
【特許文献１】
特開平０１−２４３０９７号公報
【特許文献２】
特開平０２−１８１１９５号公報
【０００４】
【発明が解決しようとする課題】
しかしながら、音高指定部は通常、指で操作されることから、音高指定部の近傍、例えば下方部分が、掌等で保持される把持部とされるのが自然であり、楽器の形態に応じて、音高指定部との関係で保持位置の設定に設計上の制約が生じる。その一方、電池は相当の重量を有する。そのため、電池収容部の配置が不適切であると、電子楽器を保持したとき、持ちにくく、姿勢が安定せず、演奏操作がやりにくいという状況になるおそれがある。従って、楽器全体の重量配分を考慮する上で、電池収容部の配置の検討は重要である。
【０００５】
本発明は上記従来技術の問題を解決するためになされたものであり、その目的は、演奏時における安定保持及び良好な演奏操作を実現することができる電子楽器を提供することにある。
【０００６】
【課題を解決するための手段】
上記目的を達成するために本発明の請求項１の電子楽器は、胴体部（３）と、口入力部（２）と、前記胴体部に設けられ音高を指定するための音高指定部（ＳＨＩ）と、電池を収容する電池収容部（ＳＹＵ）とを有し、前記口入力部における入力及び前記音高指定部における入力に基づいて楽音を発生させるようにされた電子楽器であって、前記電池収容部は、前記胴体部をほぼ水平にしたとき前記音高指定部の下方に位置するように配置されたことを特徴とする。
【０００７】
この構成によれば、電池収容部は、胴体部をほぼ水平にしたとき音高指定部の下方に位置するように配置される。通常、音高指定部は指で操作されることから、その下方に掌等が位置するため、その位置に把持部を設けるのが自然である。従って、その位置に電池収容部を配置することで、楽器全体の重心付近に把持部を設ける設計が容易でなる。これにより、演奏時において楽器を安定して持ちやすく、演奏操作もしやすい。よって、演奏時における安定保持及び良好な演奏操作を実現することができる。
【０００８】
上記目的を達成するために本発明の請求項２の電子楽器は、胴体部と、口入力部と、前記胴体部に設けられ音高を指定するための音高指定部と、電池を収容する電池収容部とを有し、前記口入力部における入力及び前記音高指定部における入力に基づいて楽音を発生させるようにされた電子楽器であって、前記電池収容部は、前記音高指定部の近傍に配置され、当該電子楽器全体の重心が前記電池収容部内に位置するように構成されたことを特徴とする。
【０００９】
この構成によれば、電池収容部は、音高指定部の近傍に配置され、電子楽器全体の重心が電池収容部内に位置するように構成される。通常、音高指定部は指で操作されることから、その近傍に掌等が位置するため、その位置に把持部を設けるのが自然である。従って、その位置に電池収容部を配置し、当該電子楽器全体の重心を電池収容部内に位置させることで、楽器全体の重心と把持部の位置とを位置させる設計が容易である。これにより、演奏時において楽器を安定して持ちやすく且つ扱いやすく、演奏操作もしやすい。よって、演奏時における安定保持及び良好な演奏操作を実現することができる。
【００１０】
【発明の実施の形態】
以下、本発明の実施の形態を図面を参照して説明する。
【００１１】
（第１の実施の形態）
図１（ａ）は、本発明の第１の実施の形態に係る電子楽器の平面図、図１（ｂ）は、同電子楽器の右側面図である。本楽器は、トランペットと同様の形状、操作にて、楽音を発生させるように構成される。
【００１２】
同図（ｂ）に示すように、本電子楽器１は、大まかには、口入力部２、胴体部３及び朝顔部４で構成される。以降、前後、左右及び上下の各方向としては、胴体部３を略水平にした場合における奏者を基準とした方向を用いる。
【００１３】
同図（ａ）に示すように、電子楽器１は、左側ケース５Ｌと右側ケース５Ｒとをそれらの合わせ面に相当するパーティングラインＰＬで接合して形成される。同図（ｂ）に示すように、朝顔部４には、スピーカ７が配置され、スピーカ７には鍔状のスピーカグリル８が取り付けられている。左側ケース５Ｌと右側ケース５Ｒとを接合する際には、スピーカグリル８を左側ケース５Ｌ及び右側ケース５Ｒの朝顔部４部分に嵌合することで、両ケース５Ｌ、５Ｒの合体強度を向上させている。右側ケース５Ｒには、楽音パラメータ設定スイッチ群１０が設けられる。楽音パラメータ設定スイッチ群１０の内側に、図示しない音源等の処理回路部が設けられている。
【００１４】
電子楽器１の前後方向の略中央部には、固定部ＫＯが設けられる。固定部ＫＯは左側固定部ＫＯＬと右側固定部ＫＯＲとで成り、左側固定部ＫＯＬ及び右側固定部ＫＯＲは、それぞれ左側ケース５Ｌ及び右側ケース５Ｒと一体に形成される。また、電子楽器１の前後方向において、固定部ＫＯの上部には、３つのピストン型の操作子ＰＳＴ（ＰＳＴ（１）〜ＰＳＴ（３））が設けられる。さらに、固定部ＫＯの下部には、後述する底蓋兼スタンド６が取り付けられる。
【００１５】
固定部ＫＯ、３つの操作子ＰＳＴ及び底蓋兼スタンド６で構成される部分は、電源部であると共に音高指定のための操作を行う部分であるので、以降、これらを「電源及び操作機構部ＥＭ」と呼称する。
【００１６】
口入力部２はマイクロフォンを備え、奏者の発する音声が入力される。そして、入力される音声の音高が、予め複数の範囲に区分したいずれの音高範囲に属するかが不図示の処理部により判定される。一方、３つの操作子ＰＳＴの押下操作は独立して検出される。そして、不図示の楽音制御部の制御により、口入力部２による入力音高と操作子ＰＳＴの操作状態（８通りの組み合わせがある）とにより決定される発音音高にて、口入力部２による音声入力を発音トリガとして、スピーカ７から楽音が発生する。
【００１７】
なお、本実施の形態では、発音音高の決定に、口入力部２及び操作子ＰＳＴの入力乃至操作が関与するようにしたが、操作子ＰＳＴの操作だけで定まるようにしてもよい。また、口入力部２で検出されるデータは、音声の音高に限られるものでなく、例えば、奏者の唇の押圧力ＰＬ及び呼気圧ＰＢを検出し、これらのデータを発音音高の決定に用いるようにしてもよい。
【００１８】
電源及び操作機構部ＥＭの近傍且つ前方には、指かけ部９が設けられる。なお、電子楽器１の朝顔部４及び後部に、楽譜保持機能を兼ねるストラップホルダを設けてもよい。
【００１９】
図２、図３は、電源及び操作機構部ＥＭの内部構成を示す図である。図２は、主に左側固定部ＫＯＬを示し、図３は主に右側固定部ＫＯＲを示している。図４は、１つの操作子ＰＳＴの外観図である。図５は、図２のＡ−Ａ線に沿う断面図である。
【００２０】
図２、図３に示すように、左側固定部ＫＯＬは、左側固定部上半部ＫＯＬａ及び左側固定部下半部ＫＯＬｂで成り、右側固定部ＫＯＲは、右側固定部上半部ＫＯＲａ及び右側固定部下半部ＫＯＲｂで成る。主として左側固定部上半部ＫＯＬａと、右側固定部上半部ＫＯＲａと、両上半部ＫＯＬａ、ＫＯＲａ内に配置される後述する３つのフォトカプラ１５と、上下方向に摺動自在に設けられる３つの操作子ＰＳＴとで、発音音高を指定する音高指定部ＳＨＩが構成される。また、主として左側固定部下半部ＫＯＬｂと、右側固定部上半部ＫＯＲａと、これらの下方に配置される底蓋兼スタンド６とで、図示しない４本の単３電池を収容する電池収容部ＳＹＵが構成される。
【００２１】
３つの操作子ＰＳＴはいずれも同様に構成され、また、音高指定部ＳＨＩの左側固定部上半部ＫＯＬａ及び右側固定部上半部ＫＯＲａにおいて、各操作子ＰＳＴに対応する３つのシリンダに相当する部分はいずれも同様に構成される。従って、構成説明に関し、操作子ＰＳＴ及び対応するシリンダ部分については、代表して１つについて説明する。
【００２２】
図４に示すように、操作子ＰＳＴは、被押下部３３と本体３１とが軸部３２で接続されて一体に形成されたものに、緩衝材３４及びスプリング３９が取り付けられて成る。緩衝材３４は、フェルトやウレタンゴム等で環状に構成され、被押下部３３の下部に接着等により固着される。スプリング３９は、本体３１の下部のスプリング取り付け基部４０から下方に延設されたスプリング取り付け部３５に取り付けられ、操作子ＰＳＴを常に上方に付勢する。本体３１は、背板部３８及び側板部３６、３７を有して断面コ字状に形成される。背板部３８には、シャッタ窓３８ｂが形成される。シャッタ窓３８ｂを含む背板部３８と、対応するフォトカプラ１５と、後述の対応する反射板２３とで１つの「音高スイッチ部」が構成される。また、本実施の形態では、シャッタ窓３８ｂを含む背板部３８が、「シャッタ機能部」を構成する。
【００２３】
図２、図５に示すように、操作子ＰＳＴは、その背板部３８の背面３８ｃが右側固定部上半部ＫＯＲａに対向し、側板部３６、３７が左側固定部上半部ＫＯＬａ側に入り込むように設置される。操作子ＰＳＴの被押下部３３は、常に固定部ＫＯから上方に露出している。図２では、操作子ＰＳＴ（１）が非押下時の状態（初期状態）、操作子ＰＳＴ（３）が押下終了時の状態が表され、操作子ＰＳＴ（２）は取り外された状態が表されている。
【００２４】
図２に示すように、左側固定部上半部ＫＯＬａの下部には、２本のスプリングガイド用リブ１２が上下方向に沿って一体に設けられ、スプリングガイド用リブ１２の上部近傍には、水平板部である２枚の下限ストッパ１１が設けられる。後述するように、下限ストッパ１１は、操作子ＰＳＴの強押下時に、操作子ＰＳＴの本体３１の下面３１ａ（図４参照）と当接して操作子ＰＳＴの下限位置を規制する。
【００２５】
図５に示すように、左側固定部上半部ＫＯＬａの２箇所に一体に形成された基板取付部ＫＯＬａａには、基板１４が取り付けられ、基板１４上にフォトカプラ１５が固定される。フォトカプラ１５は、一対の発光部１５ａ及び受光部１５ｂを有し（図２参照）、発光部１５ａが発光すると共に、受光部１５ｂにおける受光量の変化により、操作子ＰＳＴの動作検出を行い、これによりスイッチング動作がなされる。
【００２６】
図２に示される操作子ＰＳＴ（１）で例示するように、非押下時には、フォトカプラ１５は操作子ＰＳＴの背板部３８に隠れている。一方、押下終了時には、操作子ＰＳＴ（３）で例示するように、フォトカプラ１５は、高さ方向において、背板部３８のシャッタ窓３８ｂ内に位置するようになっている。左側固定部上半部ＫＯＬａにはまた、図２、図５に示すように、２本のレール状のガイドリブ１３（１３Ａ、１３Ｂ）が、上下方向に沿って一体に延設される。
【００２７】
一方、図５に示すように、右側固定部上半部ＫＯＲａには、反射板取付部ＫＯＲａａが２箇所に一体に形成され、反射板取付部ＫＯＲａａに反射板２３が貼着される。反射板２３は、フォトカプラ１５に対向し、フォトカプラ１５の発光部１５ａからの光を反射させる。右側固定部上半部ＫＯＲａにはまた、図３、図５に示すように、２本のレール状のガイドリブ２２（２２Ａ、２２Ｂ）が、上記ガイドリブ１３Ａ、１３Ｂにほぼ対向して、上下方向に沿って一体に延設される。後述するように、ガイドリブ１３及びガイドリブ２２は、協働して操作子ＰＳＴの往復動作の案内をする。
【００２８】
また、図３に示すように、右側固定部上半部ＫＯＲａの下部には、１本のスプリングガイド用リブ２１が一体に設けられる。スプリングガイド用リブ２１は、上記２本のスプリングガイド用リブ１２に対向して、これらスプリングガイド用リブ１２の中間位置に設けられる。スプリングガイド用リブ２１と、２本のスプリングガイド用リブ１２とで、スプリング３９を囲い込み、操作子ＰＳＴの往復動作時において、スプリング３９が撓みすぎず、適切に伸縮するようガイドする機能を果たす。
【００２９】
左側固定部上半部ＫＯＬａと左側固定部下半部ＫＯＬｂとは、仕切壁ＷＬで仕切られる（図２参照）。右側固定部上半部ＫＯＲａと右側固定部下半部ＫＯＲｂとは、仕切壁ＷＲで仕切られる（図３参照）。仕切壁ＷＬの下部には、電池保持及び端子を兼ねる４つの保持端子部Ｙ１〜Ｙ４が取り付けられている。一方、底蓋兼スタンド６にも、保持端子部Ｙ１〜Ｙ４に対応する図示しない保持端子部が４つ設けられている。そして、電池収容部ＳＹＵ内において、対応する保持端子部同士の空間（４つ）に、各単３電池（図示せず）が縦方向に嵌合保持される。
【００３０】
また、左側固定部ＫＯＬの仕切壁ＷＬには、突起部Ｔ１、Ｔ２、Ｔ３が形成されると共に、これらに嵌合的な凹部Ｋ１、Ｋ２、Ｋ３が、右側固定部ＫＯＲの仕切壁ＷＲに形成される。突起部Ｔ１、Ｔ２、Ｔ３と凹部Ｋ３、Ｋ２、Ｋ１との嵌合により、精度の高い嵌合機構が構成され、左側固定部ＫＯＬと右側固定部ＫＯＲとの嵌め合いの精度が高くなっている。
【００３１】
電源及び操作機構部ＥＭの組み付けは次のようにしてなされる。まず、スプリング３９を取り付けた３つの操作子ＰＳＴを左側固定部上半部ＫＯＬａに配置し、左側ケース５Ｌと右側ケース５ＲとをパーティングラインＰＬで接合することで、左側固定部ＫＯＬと右側固定部ＫＯＲとを接合する。さらに、図示しないネジを、右側固定部ＫＯＲ側から、右側固定部ＫＯＲの穴２６〜２９を介して左側固定部ＫＯＬのネジ穴１６〜１９に螺合することで、左側固定部ＫＯＬと右側固定部ＫＯＲとを固定する。そして、電池収容部ＳＹＵ内に下方から４つの電池（図示せず）を収容し、電源及び操作機構部ＥＭの下方から、底蓋兼スタンド６を取り付ける。底蓋兼スタンド６は、例えば、左側固定部ＫＯＬ、右側固定部ＫＯＲの各下端部ＫＯＬｂａ、ＫＯＲｂａに底蓋兼スタンド６の不図示の嵌合部を嵌合させることで取り付けられる。なお、底蓋兼スタンド６の取り付けのための機構はこれに限るものではない。
【００３２】
かかる構成により、電源及び操作機構部ＥＭが組み付けられると、電池収容部ＳＹＵの下部である底蓋兼スタンド６が、電池収容部ＳＹＵの蓋体として機能するだけでなく、電子楽器１全体を略水平に起立保持するスタンドとしても機能する。これにより、蓋体とスタンドとを別個に設ける必要がないので、簡単な構成にて、電子楽器１の安定載置が可能になる。
【００３３】
固定部ＫＯと操作子ＰＳＴとの関係は、次のようになっている。すなわち、図５に示すように、操作子ＰＳＴは、ガイドリブ１３Ａ、１３Ｂに対して、背板部３８のガイドリブ１３Ａ、１３Ｂに対向する対向面３８ａと、側板部３６、３７の内側面３６ａ、３７ａ（図４参照）とで接している。操作子ＰＳＴはまた、ガイドリブ２２Ａ、２２Ｂに対して、背面３８ｃで接している。ただし、これらの接触状態は、互いの部分が摺動して操作子ＰＳＴが円滑に上下方向に往復動作可能な程度に設定される。
【００３４】
すなわち、操作子ＰＳＴの背板部３８がガイドリブ１３とガイドリブ２２との間に介在し、初期状態（図２の操作子ＰＳＴ（１）で示す）において、操作子ＰＳＴの被押下部３３が押下操作されると、対向面３８ａ、背面３８ｃがそれぞれガイドリブ１３、２２と摺動することで、電子楽器１の左右方向に関し操作子ＰＳＴの動作がガイドされる。また、側板部３６、３７の内側面３６ａ、３７ａがそれぞれガイドリブ１３Ａ、１３Ｂと摺動することで、電子楽器１の前後方向に関し操作子ＰＳＴの動作がガイドされる。
【００３５】
そして、操作子ＰＳＴが下降すると、緩衝材３４が固定部ＫＯの上端ＫＯＵに当接して操作子ＰＳＴの動作が緩衝され、通常はこの時点で操作子ＰＳＴが停止し、押下終了状態となる（図２の操作子ＰＳＴ（３）で示す）。従って、緩衝材３４がストッパ機能を果たす。ただし、操作子ＰＳＴが強く押下された場合は、緩衝材３４による緩衝の直後に、緩衝材３４がさらに縮んで、操作子ＰＳＴの本体３１の下面３１ａが下限ストッパ１１に当接することで、操作子ＰＳＴが下限位置で停止するようになっている。
【００３６】
操作子ＰＳＴの押下を解くと、スプリング３９の付勢力により、操作子ＰＳＴが上昇して元の初期状態に復帰する。その際、下降時と同様に、操作子ＰＳＴがガイドリブ１３、ガイドリブ２２によって動作ガイドされる。
【００３７】
特に、ガイドリブ１３、ガイドリブ２２はいずれも、操作子ＰＳＴの動作方向である上下方向に沿って延設され、操作子ＰＳＴの往復動作の全行程に亘って、操作子ＰＳＴの背板部３８及び／又は側板部３６、３７が、基本的にほぼ全面で接触する。従って、それぞれ少なくともいずれかの箇所で必ずガイドリブ１３、２２に面接触状態で摺接するようになっているので、操作子ＰＳＴのように長いストロークを有する動作においても、操作子ＰＳＴが固定部ＫＯに対して傾きを生じることがほとんどなく、がたつきがなく安定した往復動作が全行程に亘って確保され、耐久性も有る。
【００３８】
また、初期状態では、フォトカプラ１５は、前述したように、操作子ＰＳＴの背板部３８に隠れるので、背板部３８によって遮光される。ここで、背板部３８の対向面３８ａの少なくともフォトカプラ１５と対向する部分には、光を反射しにくいように黒色塗装等の処理を施しておくのが望ましい。押下終了時には、フォトカプラ１５の発光部１５ａからの光は、シャッタ窓３８ｂを通過して反射板２３で反射し、受光部１５ｂで受光されることで、操作子ＰＳＴが押下されたことが検出され、スイッチ動作する。そして、上述したように、３つの操作子ＰＳＴによるスイッチ動作の組み合わせと、口入力部２による入力音高とで、発音音高が決定される。
【００３９】
ところで、フォトカプラ１５は、ガイドリブ１３Ａ、１３Ｂ間の隙間に配置されているので、ガイドリブ１３Ａ、１３Ｂは、前後方向からの外乱光がフォトカプラ１５の受光部１５ｂに受光されにくいように遮光する機能を果たす。また、下限ストッパ１１は、下方からの外乱光を遮光する機能を果たす。さらに、反射板２３は、ガイドリブ２２Ａ、２２Ｂ間に配置されるので、反射板２３で反射する光が、フォトカプラ１５以外の（隣接するフォトカプラ１５）に入光することが抑制される。従って、ガイドリブ１３、２２及び下限ストッパ１１は、ガイド機能や下限位置規制機能だけでなく、回折防止機能をも果たすので、構成を複雑化することなくフォトカプラ１５による検出精度が向上している。なお、反射板２３は、右側固定部上半部ＫＯＲａと一体に形成してもよい。
【００４０】
ところで、奏者は、本電子楽器１を演奏するには、トランペットと同様に、指が操作子ＰＳＴに近接乃至接触するように電子楽器１を保持する。そのとき、自然に、掌、親指、小指等で固定部ＫＯの主として下半部（電池収容部ＳＹＵ近傍）を保持する姿勢がとられる。従って、固定部ＫＯの電池収容部ＳＹＵ近傍が、把持部を兼用することになり、構成が簡単になっている。また、本電子楽器１は、重量のある各種構成要素を極力、電池収容部ＳＹＵ付近に配置しているだけでなく、上記不図示の処理回路部、朝顔部４、口入力部２等の電池収容部ＳＹＵから離間した構成要素を含むすべての構成要素乃至部位の重量、配置、大きさを適宜設定することで、電子楽器１全体の重心が、電池収容部ＳＹＵ内に位置するように構成されている。これにより、演奏時において電子楽器１を安定して持ちやすく且つ扱いやすくなっている。
【００４１】
本実施の形態によれば、操作子ＰＳＴの往復動作の全行程に亘って、レール状のガイドリブ１３、２２に操作子ＰＳＴの本体３１が面接触状態で摺接することで、操作子ＰＳＴの往復動作が全行程に亘ってガイドされるので、がたつきがなく、安定動作が期待され、耐久性も有る。また、ガイドリブ１３、２２は、それぞれ左側固定部ＫＯＬ、右側固定部ＫＯＲに一体に形成されるので、構成が簡単である。よって、簡単な構成で、耐久性を確保すると共に、安定したスイッチ動作を実現することができる。
【００４２】
本実施の形態によればまた、フォトカプラ１５を用いて「音高スイッチ部」を構成したので、光学的なスイッチ動作により高耐久性及び安定したスイッチ動作が期待される。さらに、シャッタ窓３８ｂは操作子ＰＳＴに一体的に形成されるので、構成が簡単である。また、ガイドリブ１３Ａ、１３Ｂは、操作子ＰＳＴの動作ガイド機能と外乱光の遮光機能とを兼ねるので、構成が簡単である。
【００４３】
本実施の形態によればまた、電池収容部ＳＹＵは、胴体部３をほぼ水平にしたとき音高指定部ＳＨＩの下方であって且つ近傍に配置される。通常、音高指定部ＳＨＩは指で操作されることから、その下方乃至近傍に、奏者の掌等が位置することになるため、その位置に把持部を設けるのが自然である。従って、音高指定部ＳＨＩの下方且つ近傍に、重量の大きい電池が収容されるようにすることで、設計上、電子楽器１全体の重心と把持部とされる部分とを容易に一致させることができる。これにより、自然に把持部とされる電池収容部ＳＹＵの内部に、電子楽器１全体の重心が位置することで、演奏時において電子楽器１を安定して持ちやすく、演奏操作もしやすい。よって、演奏時における安定保持及び良好な演奏操作を実現することができる。
【００４４】
本実施の形態によればまた、主として電池収容部ＳＹＵが把持部を兼ねること、及び、底蓋兼スタンド６が電池収容部ＳＹＵの蓋体の機能と電子楽器１のスタンド機能とを兼ねることから、構成を簡単にすることができる。
【００４５】
ところで、本実施の形態では、主として電池収容部ＳＹＵが把持部とされることを予定して電子楽器１を構成したが、図６に変形例を示すように、電源及び操作機構部ＥＭに波状にくびれた波状部４１〜４３を形成し、波状把持部４４を構成するようにしてもよい。これにより、波状部４１〜４３に掌、親指、小指等がなじみやすく、より把持性が向上する。
【００４６】
また、本実施の形態では、操作子ＰＳＴの対向面３８ａ、背面３８ｃ、内側面３６ａ、３７ａは、いずれもガイドリブ１３またはガイドリブ２２に対して基本的に全面で面接触するように構成したが、これに限るものでなく、往復動作方向において分散した複数箇所が面接触状態で摺接する構成であっても、同様の効果を奏することができる。
【００４７】
例えば、図７に変形例を示すように、摺接部の一部に切欠部を設けてもよい。図７（ａ）は、変形例の操作子ＰＳＴの外観図、図７（ｂ）は、変形例の固定部ＫＯの左側固定部上半部ＫＯＬａの一部を示す外観図である。
【００４８】
図７（ａ）に示すように、操作子ＰＳＴの側板部３６、３７に、それぞれ複数の切欠部３６ｘ、３７ｘを形成すると共に、図７（ｂ）に示すように、左側固定部上半部ＫＯＬａのガイドリブ１３Ａ、１３Ｂに、それぞれ複数の切欠部１３Ａｘ、１３Ｂｘを形成する。さらに、各切欠部３６ｘ、３７ｘ、１３Ａｘ、１３Ｂｘ内には、潤滑剤を適当に与える。また、切欠部３６ｘ、３７ｘの上下方向の配設ピッチと切欠部１３Ａｘ、１３Ｂｘの上下方向の配設ピッチとは、異なるようにする。
【００４９】
このようにすることで、潤滑剤の効果を確保しながら、且つ、操作子ＰＳＴの往復動作の全行程に亘って、操作子ＰＳＴの側板部３６、３７が、動作方向において位置が異なる分散した複数の箇所でガイドリブ１３Ａ、１３Ｂと面接触状態で摺接し、しかも、配設ピッチの違いから、上下方向において接触箇所に偏りがないので、円滑に往復動作する。従って、耐久性確保及び安定したスイッチ動作に関し、一層優れた効果を奏することができる。なお、これと同様に、背板部３８の背面３８ｃ、及び右側固定部上半部ＫＯＲａのガイドリブ２２Ａ、２２Ｂにおいても切欠部を設け、潤滑剤を与えるのが望ましい。
【００５０】
なお、操作子ＰＳＴが往復動作において固定部ＫＯに対して傾きにくいように構成するという観点からは、操作子ＰＳＴの往復動作の全行程に亘って、ガイドリブ２２と操作子ＰＳＴとの互いに対向する部分同士が、操作子ＰＳＴの動作方向における位置が異なる複数の箇所で摺接するように構成してもよく、従って、必ずしも面接触状態が存在しなくても、複数箇所で点摺接するようにしてもよい。その場合、例えば、ガイドリブ２２または側板部３６、３７のいずれか一方を平坦に形成すると共に、他方を凹凸状に形成し、上下方向に分散した複数箇所で点接触するように構成してもよい。
【００５１】
なお、ガイドリブ１３、２２は２本ずつの構成を例示したが、数はこれに限らず、例えば、３本以上でもよい。ガイドリブ１３が３本以上の場合は、フォトカプラ１５は隣接するガイドリブ１３間に形成される少なくとも１つの隙間に配置すればよい。
【００５２】
なお、本実施の形態では、固定部ＫＯにレール状のガイドリブ１３、２２を設け、可動体である操作子ＰＳＴにガイドリブ１３、２２と摺接する部分を設けたが、この配置関係を固定部ＫＯと操作子ＰＳＴとで逆にしてもよい。
【００５３】
なお、操作子ＰＳＴの軸部３２を１本ではなく複数本で構成することで、断面係数を増加させ、強度及び曲げ剛性を向上させてもよい。
【００５４】
（第２の実施の形態）
本発明の第２の実施の形態では、「音高スイッチ部」の構成が第１の実施の形態と異なり、その他は第１の実施の形態と同様である。
【００５５】
図８は、第２の実施の形態における音高スイッチ部の構成を示す断面図である。同図は、電子楽器１の左右方向に沿って操作子ＰＳＴを長手方向に切断した状態を示す。
【００５６】
フォトカプラ１５の配置及び構成は第１の実施の形態と同様である。反射板２３に相当する位置には、フォトカプラ１５に対向する黒色対向面１２３が設けられる。黒色対向面１２３は、例えば、右側固定部上半部ＫＯＲａの相当部分に黒色塗料を塗布することで構成されるが、これに限るものでなく、右側固定部上半部ＫＯＲａの面処理を金型による粗面仕上げとしてもよいし、あるいは右側固定部上半部ＫＯＲａに、反射板２３に代えて光を反射しにくい黒色の板を設けてもよい。
【００５７】
本実施の形態における操作子ＰＳＴＺは、第１の実施の形態における操作子ＰＳＴに対し、断面三角状の突起部５０を設けた点が異なる。さらに、背板部１３８の対向面１３８ａのうち主にフォトカプラ１５に対向する領域と、突起部５０の第１斜面５０ａとには、光を効率よく反射するための処理、例えば、鏡面仕上げ、白色塗装または反射部材の貼着等が施される。一方、突起部５０の第２斜面５０ｂには、黒色対向面１２３と同様に光を反射しにくいような処理が施される。なお、本実施の形態では、対向面１３８ａ、第１斜面５０ａ、第２斜面５０ｂ及びシャッタ窓１３８ｂを含む背板部３８が、「シャッタ機能部」を構成する。
【００５８】
かかる構成において、初期状態（図８に示す状態）では、発光部１５ａが発した光は、対向面１３８ａ及び第１斜面５０ａで反射して受光部１５ｂに受光される。一方、操作子ＰＳＴＺが押下され、突起部５０の頂部が発光部１５ａを通過すると、発光部１５ａが発した光は、第２斜面５０ｂで吸収されるほか、シャッタ窓１３８ｂを通じて黒色対向面１２３で吸収され、受光部１５ｂにはほとんど受光されない。このとき、突起部５０が設けられているので、発光部１５ａが発した光は、突起部５０で遮られ、対向面１３８ａに向かう量が少ないことから、不要な光の回折による誤検出が防止される。
【００５９】
本実施の形態によれば、突起部５０により、発光部１５ａの光路を仕切ることで、操作子ＰＳＴＺの往復動作を正確に検出して、スイッチングの精度を向上させることができる。
【００６０】
なお、発光部１５ａの光路を仕切る、あるいは不要な光の回折を減少させるという観点からは、突起部５０の形状は他にも種々考えられ、例示に限定されない。また、フォトカプラ１５と反射板またはシャッタ板との距離を極小にする等により、スイッチングの精度を向上させることができる。
【００６１】
なお、第１、第２の実施の形態において、電池は、必ずしも発音のための電源用に用いられるものでなくてもよく、何らかの機能のために用いられるものであればよい。例えば、演奏データの外部機器への送信、外部機器からの受信、データの変換、あるいは、演奏の録音のためにのみ用いられるものであってもよい。従って、発音に関しては、アコースティックに発音可能な電子楽器も本発明の適用対象となる。
【００６２】
なお、本発明は、トランペット型の電子楽器に限定されず、ユーホニウム、ホルン型等、口入力部と音高指定部とを有する管楽器型等の電子楽器に広く適用可能である。
【００６３】
【発明の効果】
以上説明したように、本発明によれば、演奏時における安定保持及び良好な演奏操作を実現することができる。
【図面の簡単な説明】
【図１】本発明の第１の実施の形態に係る電子楽器の平面図（図（ａ））及び右側面図（図（ｂ））である。
【図２】電源及び操作機構部の主に左側固定部を示す内部構成図である。
【図３】電源及び操作機構部の主に右側固定部を示す内部構成図である。
【図４】１つの操作子の外観図である。
【図５】図２のＡ−Ａ線に沿う断面図である。
【図６】電源及び操作機構部の変形例を示す図である。
【図７】変形例の操作子の外観図（図（ａ））及び変形例の固定部の左側固定部上半部の一部を示す外観図である。
【図８】本発明の第２の実施の形態に係る電子楽器における音高スイッチ部の構成を示す断面図である。
【符号の説明】
１  電子楽器、  ２  口入力部、  ３  胴体部、  ４  朝顔部、  ５Ｌ  左側ケース、  ５Ｒ  右側ケース、  ６  底蓋兼スタンド、  １５  フォトカプラ、２３  反射板、  ３８ｂ  シャッタ窓、  ４４  波状把持部（把持部）、  ＫＯ  固定部、  ＫＯＬ  左側固定部、  ＫＯＲ  右側固定部、  ＰＳＴ  操作子、  ＥＭ  電源及び操作機構部、  ＳＨＩ  音高指定部、  ＳＹＵ  電池収容部
【図１】
2004333916.tif 000003
【図２】
2004333916.tif 000004
【図３】
2004333916.tif 000005
【図４】
2004333916.tif 000006
【図５】
2004333916.tif 000007
【図６】
2004333916.tif 000008
【図７】
2004333916.tif 000009
【図８】
2004333916.tif 000010